【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
ワイヤレス通信のためのデバイスであって、
ワイヤレス・ローカル・エリア・ネットワーク（ＷＬＡＮ）通信リンクを実施するためのＷＬＡＮモジュールと、ここにおいて、前記ＷＬＡＮモジュールは、省電力情報要素を保持するビーコン・フレームを送信することによって前記通信リンクを維持するように構成される、
前記ＷＬＡＮモジュールが省電力モードに入るという情報を、前記ビーコン・フレームの前記省電力情報要素に含めるように構成されているピア省電力モジュールと、
を備え、前記省電力情報要素は、カウント値をさらに備え、前記ピア省電力モジュールは、前記通信リンクが所定の期間の間インアクティブであった後に、各ビーコン送信によって初期値から前記カウント値をデクリメントするようにさらに構成されている、デバイス。
【請求項２】
前記ピア省電力モジュールは、前記カウント値がゼロに達したときに、前記ＷＬＡＮモジュールを省電力モードに移行する、請求項１に記載のデバイス。
【請求項３】
前記省電力情報要素は、持続期間の値をさらに備え、前記ＷＬＡＮモジュールは、前記持続期間の値に対応する期間の間、前記省電力モードであり続けるように構成されている、請求項２に記載のデバイス。
【請求項４】
前記ピア省電力モジュールは、前記通信リンクがインアクティブである間に前記ＷＬＡＮモジュールが前記省電力モードに入った回数を追跡し、および、前記回数がしきい値を超えたときに前記通信リンクを無効にするように構成されている、請求項２に記載のデバイス。
【請求項５】
前記デバイスは、無効にされた前記通信リンクが再び使用可能となることを可能にするために、代替の通信リンクを維持するように構成されている、請求項４に記載のデバイス。
【請求項６】
前記通信リンクは、ブルートゥース代替ＭＡＣ／ＰＨＹ（ＡＭＰ）リンクである、請求項１に記載のデバイス。
【請求項７】
前記デバイスは、ソフトＡＰとして機能するように構成されている、請求項１に記載のデバイス。
【請求項８】
ワイヤレス通信のためのデバイスであって、
ワイヤレス・ローカル・エリア・ネットワーク（ＷＬＡＮ）通信リンクを実施するように構成されているＷＬＡＮモジュールと、ここにおいて、前記ＷＬＡＮモジュールは、省電力情報要素を保持する、ピア・デバイスによって送信されたビーコン・フレームを受信することによって前記通信リンクを維持するように構成される、
受信されたビーコン・フレームが、前記ピア・デバイスが省電力モードに入るという情報を含む省電力情報要素有するときに、前記ＷＬＡＮモジュールを省電力モードに移行するように構成されているピア省電力モジュールと、
を備え、前記省電力情報要素は、カウント値をさらに備え、前記ピア省電力モジュールは、前記カウント値がゼロであるときに前記ＷＬＡＮモジュールを省電力モードに移行するように構成されている、デバイス。
【請求項９】
前記省電力情報要素は、持続期間の値をさらに備え、前記ＷＬＡＮモジュールは、前記持続期間の値に対応する期間の間、前記省電力モードであり続けるように構成されている、請求項８に記載のデバイス。
【請求項１０】
ワイヤレス通信のための方法であって、
ワイヤレス・ローカル・エリア・ネットワーク（ＷＬＡＮ）モジュールによってＷＬＡＮ通信リンクを実施することと、
前記ＷＬＡＮモジュールがアクティブ・モードであることを示す情報を含む省電力情報要素を保持するビーコン・フレームを、前記ＷＬＡＮモジュールによって、送信することと、
前記ＷＬＡＮモジュールが省電力モードに入ることを示す情報を含む省電力情報要素を保持するビーコン・フレームを、前記ＷＬＡＮモジュールによって、送信することと、
前記通信リンクが所定の期間の間インアクティブであった後に、各送信によって初期値からデクリメントするカウント値を有する省電力情報要素を有する一連のビーコン・フレームを送信することと、
を備える方法。
【請求項１１】
前記カウント値がゼロに達したときに前記ＷＬＡＮモジュールを省電力モードに置くことをさらに備える、請求項１０に記載の方法。
【請求項１２】
前記省電力情報要素は、持続期間の値をさらに備え、前記持続期間の値に対応する期間の間、前記ＷＬＡＮモジュールを前記省電力モードに維持することをさらに備える、請求項１１に記載の方法。
【請求項１３】
前記通信リンクがインアクティブである間に前記ＷＬＡＮモジュールが前記省電力モードに入った回数を追跡することと、前記回数がしきい値を超えたときに前記通信リンクを無効にすることとをさらに備える、請求項１１に記載の方法。
【請求項１４】
無効にされた前記通信リンクが再び使用可能となることを可能にするために、代替の通信リンクを維持することをさらに備える、請求項１３に記載の方法。
【請求項１５】
前記通信リンクは、ブルートゥース代替ＭＡＣ／ＰＨＹ（ＡＭＰ）リンクである、請求項１０に記載の方法。
【請求項１６】
ワイヤレス通信のための方法であって、
ワイヤレス・ローカル・エリア・ネットワーク（ＷＬＡＮ）モジュールによってＷＬＡＮ通信リンクを実施することと、
ピア・デバイスが省電力モードに入ることを示す情報を含む省電力情報要素を保持する、前記ピア・デバイスによって送信されたビーコン・フレームを、前記ＷＬＡＮモジュールによって、受信することと、ここにおいて、前記省電力情報要素は、カウント値をさらに備える、
前記カウント値がゼロであるときに、前記ビーコン・フレームを受信した後に前記ＷＬＡＮモジュールを省電力モードに置くことと、
を備える方法。
【請求項１７】
前記省電力モードへの移行を示すメッセージを他の関連するデバイスに送信することをさらに備える、請求項１６に記載の方法。
【請求項１８】
前記省電力情報要素は、持続期間の値をさらに備え、前記持続期間の値に対応する期間の間、前記ＷＬＡＮモジュールを前記省電力モードに維持することをさらに備える、請求項１６に記載の方法。
【請求項１９】
ワイヤレス・ローカル・エリア・ネットワーク（ＷＬＡＮ）通信リンクを実施するＷＬＡＮモジュールの省電力モードを調整するための非一時的なプロセッサ可読記憶媒体であって、前記プロセッサ可読記憶媒体は、複数のコンピュータ実行可能な命令を有しており、前記コンピュータ実行可能な命令は、
前記ＷＬＡＮモジュールがアクティブ・モードであることを示す情報を含む省電力情報要素を保持するビーコン・フレームを送信するためのコードと、
前記ＷＬＡＮモジュールが省電力モードに入ることを示す情報を含む省電力情報要素を保持するビーコン・フレームを送信するためのコードと、
前記通信リンクが所定の期間の間インアクティブであった後に各送信によって初期値からデクリメントするカウント値を有する省電力情報要素を有する一連のビーコン・フレームを送信するためのコードと、
を備える、非一時的なプロセッサ可読記憶媒体。
【請求項２０】
前記カウント値がゼロに達したときに前記ＷＬＡＮモジュールを省電力モードに入らせるためのコードをさらに備える、請求項１９に記載の非一時的なプロセッサ可読記憶媒体。
【請求項２１】
前記省電力情報要素は、持続期間の値をさらに備え、前記持続期間の値に対応する期間の間、前記ＷＬＡＮモジュールを前記省電力モードに維持するためのコードをさらに備える、請求項２０に記載の非一時的なプロセッサ可読記憶媒体。
【請求項２２】
前記通信リンクがインアクティブである間に前記ＷＬＡＮモジュールが前記省電力モードに入った回数を追跡するためのコードと、前記回数がしきい値を超えたときに前記通信リンクを無効にするためのコードとをさらに備える、請求項２１に記載の非一時的なプロセッサ可読記憶媒体。
【請求項２３】
無効にされた前記通信リンクを再び使用可能にすることを可能にするために代替の通信リンクを維持するコードをさらに備える、請求項２１に記載の非一時的なプロセッサ可読記憶媒体。
【請求項２４】
ワイヤレス・ローカル・エリア・ネットワーク（ＷＬＡＮ）通信リンクを実施するＷＬＡＮモジュールの省電力モードを調整するための非一時的なプロセッサ可読記憶媒体であって、前記プロセッサ可読記憶媒体は、複数のコンピュータ実行可能な命令を有しており、前記コンピュータ実行可能な命令は、
ピア・デバイスが省電力モードに入ることを示す情報を含む省電力情報要素を保持する前記ピア・デバイスによって送信されたビーコン・フレームを受信するためのコードと、ここにおいて、前記省電力情報要素は、カウント値をさらに備える、
前記カウント値がゼロであるときに、前記ビーコン・フレームを受信した後に前記ＷＬＡＮモジュールを省電力モードに入らせるためのコードと、
を備える、非一時的なプロセッサ可読記憶媒体。
【請求項２５】
前記省電力モードへの移行を示すメッセージを他の関連したデバイスに送信するためのコードをさらに備える、請求項２４に記載の非一時的なプロセッサ可読記憶媒体。
【請求項２６】
前記省電力情報要素は、持続期間の値をさらに備え、前記持続期間の値に対応する期間の間、前記ＷＬＡＮモジュールを前記省電力モードに維持するためのコードをさらに備える、請求項２４に記載の非一時的なプロセッサ可読記憶媒体。